(57)【要約】【課題】モバイル端末を利用し、個人の食事制限項目を元に、適切な栄養価を有する外食、中食メニューを提供できる店舗を容易に検索可能にすること。【解決手段】ユーザ情報ＤＢ３は、ユーザの食事制限に関する食事制限情報を含むユーザ情報を保存し、店舗情報ＤＢ４は、店舗名、店舗所在地、自店舗で提供可能であり、栄養情報が付属した食事・料理メニューを含む店舗情報を保存する。モバイル端末１は、現在地あるいは任意の住所をサーバ２に送信する。サーバ２は、ユーザ情報ＤＢ３のユーザ情報を元に、モバイル端末１から送信された現住所あるいは住所に近く、かつユーザの食事制限に合った食事・料理メニューを提供可能な店舗の店舗情報を店舗情報ＤＢ４から検索し、モバイル端末１に送信する。モバイル端末１は、サーバ２から送信された店舗情報を表示する。【選択図】図１
2008134899.tif 000002
【特許請求の範囲】
【請求項１】
無線通信機能を有するモバイル端末と、
データベース検索システムを含むサーバと、
ユーザの食事制限に関する食事制限情報を含むユーザ情報を保存するユーザ情報データベースと、
店舗名、店舗所在地、自店舗で提供可能であり、栄養情報が付属した食事・料理メニューを含む店舗情報を保存する店舗情報データベースを備え、
前記モバイル端末は、入力された住所とともに店舗情報要求を前記サーバに送信し、これに応答して前記サーバから送信された店舗情報を表示し、
前記サーバは、前記ユーザ情報データベースに保存されたユーザ情報を元に、前記モバイル端末から前記店舗情報要求とともに送信された住所に近く、かつユーザの食事制限に合った食事・料理メニューを提供可能な店舗の店舗情報を前記店舗情報データベースから検索して前記モバイル端末に送信することを特徴とする健康栄養情報検索システム。
【請求項２】
前記店舗情報要求とともに前記サーバに送信される住所は、ＧＰＳ機能により取得された現在地、あるいはユーザ操作により入力された住所であることを特徴とする請求項１に記載の健康栄養情報検索システム。
【請求項３】
前記食事制限情報のうちユーザの健康状態に関連するものは、ユーザの健康状態に関する健康情報を元に自動設定されて前記ユーザ情報データベースに保存されることを特徴とする請求項１または２に記載の健康栄養情報検索システム。
【請求項４】
前記健康情報は、健診センターあるいは医療機関で管理されている健康情報データベースに保存されたものであることを特徴とする請求項３に記載の健康栄養情報検索システム。
【請求項５】
前記店舗情報データベースに保存された店舗情報は、各店舗の経営者あるいは許可された者がいつでも更新可能であることを特徴とする請求項１ないし４のいずれかに記載の健康栄養情報検索システム。
【発明の詳細な説明】
【技術分野】
【０００１】
本発明は、健康栄養情報検索システムに関し、特に、個人の健康状態や食事制限項目を元に、適切な栄養価を有する外食、中食メニューを提供できる店舗を携帯電話を用いて容易に検索できるようにした健康栄養情報検索システムに関する。
【背景技術】
【０００２】
生活習慣病患者とその予備軍は増加の一途を辿っている。その多くが食事制限を必要としているが、とりわけ都会生活では外食が多くなりがちであり、また、最近ではデパートなどの総菜店から調理済みの料理を購入して家や職場で食べる、いわゆる中食が増加している。
【０００３】
外食や中食においては、それぞれのメニューの栄養価が明示されていないことが多いため、個人が自分の食事制限に合ったメニューを選択することが困難である。
【０００４】
このような状況下、最近では個人の食事や栄養管理を支援するビジネスが登場している。例えば、個人の食事や栄養管理を支援するツールとして様々なベンダー、ソフトハウスからＰＣ(パソコン)用の栄養計算ソフトが発売されている(非特許文献１)。また、糖尿病食の宅配など、業者側で厳密な栄養計算に基づいて調理した食事を提供するビジネスも行われている(非特許文献２，３)。さらに、個人が食べた料理をデジタルカメラで撮影して電子メールなどで栄養士に送り、栄養計算を代行してもらうサービスも行われている(非特許文献４)。
【０００５】
特許文献１には、携帯電話機のような端末機器より発信された現在地位置情報と取引要求情報に基づいて、現在地位置に近い店舗であって現時刻で取引要求に対応できる店舗を検索して案内する店舗案内サービス装置が記載されている。
【０００６】
特許文献２には、顧客の個人情報や顧客が店舗で購入する食品に関する食品情報を含むユーザ情報を入力し、このユーザ情報と商品情報データベースに蓄積された栄養情報に基づいて、お奨め食品を提供する食品情報提供サービスシステムが記載されている。
【０００７】
特許文献３には、病院や健康センターなどの医療機関から来院者の健康情報を飲食店に提供し、飲食店で顧客が選択したメニューと該顧客の健康情報を元に顧客へのアドバイスあるいは別メニューの推薦を行う電子メニューシステムが記載されている。
【特許文献１】特開２００２−２３６７６９号公報
【特許文献２】特開２００２−３６６６６３号公報
【特許文献２】特開２００３−９９５３９号公報
【非特許文献１】http://www.msrsoft.com/hm/details/
【非特許文献２】http://www.fundely.co.jp/
【非特許文献３】http://www.hypermedia.or.jp/mm/index.html
【非特許文献４】http://www.diet-agent.com/index.html
【発明の開示】
【発明が解決しようとする課題】
【０００８】
しかしながら、非特許文献１のＰＣ用の栄養計算ソフトの場合、自分が食べたものをチェックしてＰＣから入力する必要がある。自分が食べたもののチェックおよびＰＣからの入力は、手間が掛かり、必ずしも容易でないという課題がある。
【０００９】
非特許文献２，３の栄養計算済みの料理の宅配は、個人が栄養計算を行う必要がないという点では楽である。しかしながら、毎日同じ業者により提供される食事ばかり食べていると飽きることがある。また、外食には対応できないという課題がある。
【００１０】
非特許文献４の個人が食べた料理の栄養計算を代行してうサービスは、料金が高いという課題がある。代行の料金は、例えば１人１月あたり２万円程度であり、自分が食べた食事の栄養計算のためだけに毎月２万円程度も払える人は少ない。
【００１１】
特許文献１の店舗案内サービス装置は、栄養情報や健康情報と関係なく、取引可能な店舗を案内するだけのものである。
【００１２】
特許文献２の食品情報提供サービスシステムは、顧客が店舗で購入する食品に関する食品情報入力、すなわち顧客が購入した食品をベースに栄養の偏りが生じないように食品を購入するように紹介するものであり、ユーザの食事制限に関する食事制限情報を元に該食事制限に合った食事・料理メニューを提供可能な店舗を紹介するものではない。
【００１３】
特許文献３の電子メニューシステムは、飲食店において選択されメニューが顧客に適しているかどうかを該顧客の健康情報に基づいて判定できるように、医療機関と飲食店を連携させたものであり、このシステムを利用できるのは医療機関から健康情報が提供される患者に限定される。また、このシステムは、ユーザの食事制限に関する食事制限情報を元に該食事制限に合った食事・料理メニューを提供可能な店舗を紹介するものではない。
【００１４】
本発明の目的は、上記課題を解決し、個人の食事制限項目を元に、適切な栄養価を有する外食、中食メニューを提供できる店舗をモバイル端末を用いて容易に検索できるようにした健康栄養情報検索システムを提供することにある。
【課題を解決するための手段】
【００１５】
上記課題を解決するために、本発明は、無線通信機能を有するモバイル端末と、データベース検索システムを含むサーバと、ユーザの食事制限に関する食事制限情報を含むユーザ情報を保存するユーザ情報データベースと、店舗名、店舗所在地、自店舗で提供可能であり、栄養情報が付属した食事・料理メニューを含む店舗情報を保存する店舗情報データベースを備え、前記モバイル端末は、入力された住所とともに店舗情報要求を前記サーバに送信し、これに応答して前記サーバから送信された店舗情報を表示し、前記サーバは、前記ユーザ情報データベースに保存されたユーザ情報を元に、前記モバイル端末から前記店舗情報要求とともに送信された住所に近く、かつユーザの食事制限に合った食事・料理メニューを提供可能な店舗の店舗情報を前記店舗情報データベースから検索して前記モバイル端末に送信する点に第１の特徴がある。
【００１６】
また、本発明は、前記店舗情報要求とともに前記サーバに送信される住所が、ＧＰＳ機能により取得された現在地、あるいはユーザ操作により入力された住所である点に第２の特徴がある。
【００１７】
また、本発明は、前記食事制限情報のうちユーザの健康状態に関連するものが、ユーザの健康状態に関する健康情報を元に自動設定されて前記ユーザ情報データベースに保存される点に第３の特徴がある。
【００１８】
また、本発明は、前記健康情報が、健診センターあるいは医療機関で管理されている健康情報データベースに保存されたものである点に第４の特徴がある。
【００１９】
さらに、本発明は、前記店舗情報データベースに保存された店舗情報が、各店舗の経営者あるいは許可された者がいつでも更新可能である点に第５の特徴がある。
【発明の効果】
【００２０】
本発明の第１の特徴によれば、ユーザは携帯電話などのモバイル端末を用い、自分の食事制限項目を元に、現在地あるいは任意の住所に近く、かつ適切な栄養価を有する外食メニューや中食メニューを提供可能な店舗を容易に検索できる。
【００２１】
また、第２の特徴によれば、ＧＰＳで取得された現在地の近くの店舗に自動的に絞り込むことができ、あるいは入力操作で入力した任意の住所の近くの店舗に自動的に絞り込むことができる。
【００２２】
また、第３の特徴によれば、ユーザの健康状態に応じて自動的に食事制限情報が設定されるので、ユーザが食事制限情報を一々入力する手間を省くことができる。
【００２３】
また、第４の特徴によれば、健康診断の結果などに基づき、ユーザの健康状態に関する健康情報を容易に取得することができる。
【００２４】
さらに、第５の特徴によれば、店舗情報データベースに保存する店舗情報を常に最新のものに更新することできる。
【発明を実施するための最良の形態】
【００２５】
以下、図面を参照して本発明を説明する。図１は、本発明に係る健康栄養情報検索システムの一実施形態を示すブロック構成図である。本実施形態の健診情報システムは、インターネットや携帯電話回線を介して通信可能なモバイル端末１、サーバ２、ユーザ情報データベース(以下、データベースをＤＢと記す)３、店舗情報ＤＢ４を備え、ここでは、さらに健診情報ＤＢ５を備える。モバイル端末１は、例えば、ＧＰＳ携帯電話やＧＰＳ機能を備えたＰＤＡ(Personal Digital Assistants) などである。
【００２６】
モバイル端末１は、ユーザ認証機能、ユーザ情報入力機能、ユーザ情報表示機能、健診情報表示機能、ＧＰＳ(global positioning system)と連動して店舗検索を行う店舗検索機能とＧＰＳを用いることなく、入力される住所で店舗検索を行う店舗検索機能のうちの少なくとも一方の店舗検索機能を実行させるアプリケーションソフトウエアを搭載している。
【００２７】
サーバ２は、ＤＢ検索システムを含み、モバイル端末１からの店舗情報要求に従って、後述するように、店舗情報ＤＢ４に保存されている店舗情報のうちユーザ情報ＤＢ３に登録されているユーザ情報を合った店舗情報を検索して取り出し、モバイル端末１に送信する。
【００２８】
ユーザ情報ＤＢ３は、ユーザを特定するためのニックネームとパスワード、ユーザの基本的な身体情報、例えば、身長、体重、性別、(〜１０歳、〜２０歳、〜３０歳、・・・)といった年齢等級などを保存する。また、ユーザ情報ＤＢ３は、個々のユーザの食事制限に関する食事制限情報を保存する。
【００２９】
食事制限情報は、アプリケーションソフトウエア側に食事制限項目を予め用意しておき、その中から選択あるいは数値入力してユーザ情報ＤＢ３に保存させることができる。ユーザの所定期間、例えば１週間の食事履歴や栄養情報履歴をモバイル端末１から入力し、食事制限情報に含ませてユーザ情報ＤＢ３に保存させることもできる。この場合、栄養成分表に基づいて栄養成分の分析を行う栄養成分分析ツールをモバイル端末１あるいはサーバ２に持たせ、入力された料理名から各栄養成分を得るようにしてもよいし、栄養成分を直接入力させるようにしてもよい。
【００３０】
健康情報ＤＢ５は、健診センターや医療機関などによって運営・管理されるものであり、個々のユーザの健康状態に関する健康情報を保存している。健康情報ＤＢ５に保存されている健康情報をユーザ情報ＤＢ３に転送し、ユーザ情報として保存させることができる。また、ユーザが予めモバイル端末１を入力操作して健康情報をユーザ情報ＤＢ３に保存させることもできる。なお、ユーザ情報ＤＢ３と健診情報ＤＢ５を連携させて全体をユーザ情報ＤＢとすることもできる。
【００３１】
ユーザ情報ＤＢ３に保存された情報は、モバイル端末１のユーザ認証機能によるユーザ認証後、そのユーザ情報入力機能を用いていつでも更新することができる。なお、ユーザ情報ＤＢ３の容量を有効利用するために、長期間、例えば３ヶ月間使用されないユーザ情報は自動的に削除するのが好ましい。
【００３２】
店舗情報ＤＢ４は、店舗名、店舗所在地、電話番号、提供可能な食事・料理メニュー(名称、値段)などの店舗情報を保存する。個々の食事・料理メニューには、栄養情報(例えば総カロリー、塩分、脂肪などの栄養価)、健康へのアピールポイントなどのデータが附属している。店舗情報ＤＢ４に登録されている各店舗の経営者ないし許可された者は、インターネットを介して店舗情報ＤＢ４にアクセスし、各自ＰＣの店舗情報入力画面より独自に店舗情報を入力し、店舗情報の保存、追加、修正、削除を適宜行うことができる。
【００３３】
モバイル端末１に搭載されたアプリケーションソフトウエアは、ＧＰＳ機能により取得された現在地を元にした店舗検索機能とＧＰＳを用いることなく、ユーザ操作により入力された住所を元にした店舗検索機能のいずれか一方、あるいはそのうちのユーザにより選択された店舗検索機能により店舗検索処理を実行させる。
【００３４】
ＧＰＳ機能により取得された現在地を元にした店舗検索機能では、モバイル端末１から店舗情報要求を受けたサーバ１は、ユーザ情報ＤＢ３にアクセスしてユーザ情報を取得し、取得されたユーザ情報とモバイル端末１から送信されてきた現在地とを合わせ、これを検索キーとして店舗情報ＤＢ４を検索し、これにより検索された店舗情報をモバイル端末１に送信する。
【００３５】
また、ＧＰＳを用いることなく、ユーザ操作により入力された住所を元にした店舗検索機能では、モバイル端末１から店舗情報要求を受けたサーバ１は、ユーザ情報ＤＢ３にアクセスしてユーザ情報を取得し、取得されたユーザ情報とモバイル端末１から送信されてきた住所とを合わせ、これを検索キーとして店舗情報ＤＢ４を検索し、これにより検索された店舗情報をモバイル端末１に送信する。  ユーザ情報には食事制限情報が含まれているので、ユーザ情報と現在地あるいは任意の住所を合わせて検索キーとすることにより、現在地あるいは入力された任意の住所の近く、かつユーザの食事制限に合った食事を提供可能な店舗を検索してユーザに紹介できる。なお、現在地あるいは任意の住所の近くかどうかは、町名や地番などで判定できる。
【００３６】
また、食事制限情報がユーザの食事履歴あるいは栄養情報履歴を含んでいれば、それらの履歴を元に、例えば１週間でバランスのとれた食事を提供可能な店舗を紹介することができる。例えば１週間の食事履歴を見て、ビタミンＡが不足していると判定された場合、ニンジンのスープやウナギ丼など、ビタミンＡを多く含む料理を提供可能な店舗を紹介する。さらに、店舗情報に外食か中食を区別する情報を含ませれば、外食店舗と中食店舗を区別しての紹介が可能となる。
【００３７】
図１のシステムを利用して店舗情報提供サービスを受けには、まず、ユーザは、所定のＵＲＬからモバイル端末１に本システムのアプリケーションソフトをダウンロードする。
【００３８】
次に、ユーザ登録を行う。ユーザ登録は、モバイル端末１からユーザを特定するためのニックネームとパスワードを入力し、さらにユーザの基本的な身体情報、例えば身長、体重、性別、年齢等級（〜１０歳、〜２０歳、〜３０歳、・・・）などを入力することにより行う。これにより入力された情報はユーザ情報ＤＢ３に保存される。
【００３９】
次に、モバイル端末１から食事制限情報を入力し、ユーザ情報ＤＢ３に保存させる。さらに健康情報を適宜入力して保存させる。健康情報の項目には、例えば、血圧、体脂肪率、肥満度、血中コレステロール、血糖値、その他の各種健診・検査数値、万歩計（登録商標）の歩数／日などの運動に関する数値などがある。なお、各種健診・検査数値は、健康センターや医療機関などの健診情報ＤＢ５からダウンロードすることができる。
【００４０】
食事制限情報は、入力を容易にするため、アプリケーションソフトウエア側に予め用意された食事制限項目の中から選択できるようにするのがよい。例えば、「１食あたりのカロリー 以下、１食あたりの食塩 カロリー以下」を画面表示し、その空欄に数値を入れる。複数の食事制限項目の選択も可能にしておく。食事制限項目には、食物繊維やカルシウムの摂取量などを含ませることができる。
【００４１】
ここで入力された食事制限情報および健康情報はユーザ情報ＤＢ３に保存される。ユーザ情報ＤＢ３に保存された情報は、モバイル端末１のユーザ情報入力機能を利用していつでも更新できる。
【００４２】
なお、食事制限情報のうちユーザにより設定されない食事制限項目は、制限がないものとする。これによりユーザは全ての食事制限項目を入力する必要がなくなる。また、健康情報と関連する食事制限項目は、健康情報の検査数値などを元に自動的に設定されるようにしてもよい。例えば、血圧150/90のユーザは高血圧であるため、塩分摂取量の制限を自動設定することが考えられる。
【００４３】
図２は、本システムによるサービス時の、モバイル端末１とサーバ２の連携動作を概念的に示す図である。以下では、モバイル端末１がＧＰＳ携帯電話であるとして説明する。
【００４４】
本システムのサービスを受けようとする場合、ユーザは、ＧＰＳ携帯電話１のメニュー表示画面に従って店舗検索を行う。店舗検索にあたっては、まず、店舗検索モードを選択する。店舗検索モードには、ＧＰＳと連動して店舗検索を行うモード、つまり、ＧＰＳにより取得された現在地を利用し、現在地近くの店舗を検索するモードと、ユーザにより操作入力される任意の住所の近くの店舗を検索するモードとがある。本システムが備える店舗検索モードが１つだけの場合、この操作はもちろん不要である。
【００４５】
ＧＰＳと連動して店舗検索を行うモードが選択されると、ＧＰＳ携帯電話１は、ＧＰＳ機能(S21)により取得した現在地を店舗情報要求とともにサーバ２に送信する(S22)。サーバ２のＤＢ検索システム６は、ユーザ情報ＤＢ３を参照し(S23)、上記のようにして予め設定されたユーザの食事制限項目に合う食事・料理メニューを提供でき、かつＧＰＳ携帯電話１から送信されてきた現在地に近い店舗の店舗情報を店舗情報ＤＢ４から検索して取り出し(S24)、ＧＰＳ携帯電話１に送信する(S25)。
【００４６】
また、ＧＰＳを用いることなく、ユーザにより操作入力される住所で店舗検索を行うモードが選択されると、ＧＰＳ携帯電話１は、ユーザにより操作入力された住所を店舗情報要求とともにサーバ２に送信する(S22)。サーバ２のＤＢ検索システム６は、上記と同様にして該住所に近い店舗の店舗情報を店舗情報ＤＢ４から検索して取り出し(S24)、ＧＰＳ携帯電話１に送信する(S25)。
【００４７】
ＧＰＳ携帯電話１は、まず、サーバ１から送信された店舗情報を元に店舗一覧を画面表示する。ここで、ユーザにより任意の店舗が選択されると、該店舗のお奨めの食事・料理メニューの一覧を表示する。ユーザの食事制限項目に合っていない食事・料理メニューが店舗情報に含まれている場合には、サーバ２側あるいはＧＰＳ携帯電話１側でユーザの食事制限項目に合っている食事・料理メニューのみに絞り込み、その結果をお奨めの食事・料理メニューとする。あるいは、店舗の食事・料理メニュー全ての一覧を表示するが、ユーザの食事制限項目に合うものが他から区別されるように表示させてもよい。
【００４８】
次に、食事・料理メニューの一覧からユーザが好みのメニューを選択すると、選択されたメニューにおける各栄養素の数値、グラフ、店舗側からのアピールポイントが表示される。これらについて情報も店舗情報に含まれてＧＰＳ携帯電話１に送信されているので、ＧＰＳ携帯電話１ではこれらを適宜選択して表示させることができる。
【００４９】
ユーザが以上の操作を繰り返し、店舗検索を行い、検索された店舗および食事・料理メニューを選択していくことにより、ユーザは現在地の近くあるいは任意の住所の近くにあり、かつ自分の食事制限に合った食事・料理メニューおよびそれを提供できる店舗を見つけ出すことができる。
【００５０】
なお、本システムがサービス中であっても、店舗情報ＤＢ４に保存されている店舗情報は、各店舗の経営者ないし許可された者(外食・中食業者)によって更新可能であり(S26)、また、健診情報ＤＢ５に保存されている健診情報も健診センターや医療機関など(健診業者等)によって更新可能である。ユーザ情報ＤＢ３の健康情報も健診情報ＤＢ５の健診情報の更新に従って適宜更新する(S27)。
【図面の簡単な説明】
【００５１】
【図１】本発明に係る健康栄養情報検索システムの一実施形態を示すブロック構成図である。
【図２】サービス時のモバイル端末とサーバの連携動作を概念的に示す図である。
【符号の説明】
【００５２】
１・・・モバイル端末、２・・・サーバ、３・・・ユーザ情報ＤＢ、４・・・店舗情報ＤＢ、５・・・健診情報ＤＢ、６・・・ＤＢ検索システム
【図１】
2008134899.tif 000003
【図２】
2008134899.tif 000004